(57)【要約】【課題】カメラの小型化を図る。【解決手段】スプール１０の近傍に第１のモータ１１を配設する。第１のモータ１１の回転運動を、連結ギヤ１１０、スプール１０と同軸的に設けられるスプールギヤ１１１を介してスプール１０に伝達し、カムギヤを介してフラッシュケースのアップダウン機構に伝達する。第１のモータ１１の回転運動のスプール１０への伝達、アップダウン機構への伝達の切換えは第１の切換手段１４により行う。第１の切換手段１４を含む第１のモータ１１の回転運動の伝達機構をスプール１０の上方に配置する。パトローネ室２０の底面近傍に第２のモータ２１を配設する。第２のモータ２１の回転運動は、パトローネ室２０の巻き戻しフォーク２２へ伝達され、クイックリターンミラー６、絞り、シャッターの駆動手段に伝達される。第２のモータ２１の回転運動の切り換えは第２の切換手段２３により行う。【選択図】        図３
2004251983.tif 000002
【特許請求の範囲】
【請求項１】
フラッシュが内蔵されたケースのアップダウン機構の駆動源とフィルムの巻き上げの駆動源として用いられる第１のモータと、この第１のモータの回転数を減速する第１の減速機構と、この第１の減速機構を介して回転するフィルム巻き上げ用のスプールを備え、
前記第１の減速機構は、前記スプール上方側に配置されていることを特徴とするカメラ。
【請求項２】
前記スプール下方側には前記フラッシュの制御回路基板が配置され、この制御回路基板に取り付けられた前記フラッシュ用のコンデンサが前記スプール内に挿通されていることを特徴とする請求項１に記載のカメラ。
【請求項３】
前記第１の減速機構は、前記第１のモータの第１の方向への回転は前記スプールに伝達され、前記第１のモータの前記第１の方向と反対の第２の方向への回転は前記アップダウン機構に伝達されるよう、前記第１のモータの回転運動の伝達経路を切り換える第１の切換手段を備えることを特徴とする請求項１に記載のカメラ。
【請求項４】
前記第１の切換手段は、前記第１のモータの出力軸に固定されたピニオンギヤと、減速ギヤ列と、前記減速ギヤ列を介して前記ピニオンギヤの回転が伝達される太陽ギヤと、前記太陽ギヤと噛合する遊星ギヤとを有し、
前記第１のモータが前記第１の方向へ回転するとき、前記遊星ギヤは、前記スプールに回転運動を伝達する連結ギヤに噛合するギヤに噛合するよう移動させられ、
前記第１のモータが前記第２の方向へ回転するとき、前記遊星ギヤは、前記アップダウン機構を駆動するフォロアピンを変位させるためのカムギヤに噛合するよう移動させられることを特徴とする請求項３に記載のカメラ。
【請求項５】
フィルム巻き戻し用駆動源として用いられる第２のモータと、
前記第２のモータの回転数を減速する第２減速機構とを有し、
前記第２のモータ及び前記第２減速機構は、ミラーボックスを挟んで前記スプールが収容されている空間とは反対側にある空間において、カメラ底面側に配置されていることを特徴とする請求項１に記載のカメラ。
【発明の詳細な説明】
【０００１】
【発明の属する技術分野】
本発明はカメラに関する。
【０００２】
【従来の技術】
従来、銀塩フィルムを装着して撮影するカメラにおいて、フィルム給送は単一の駆動系（フィルムモータ）で行われている。フィルム巻き上げのときは、スプール室に設けられたスプールをスプール内のフィルムモータで回転させ、パトローネ室に装着されたパトローネ内のフィルムをスプール室側へ給送させる。フィルム巻き戻しのときは、フィルムモータをフィルム巻上げ時とは逆方向に回転させ、その回転運動を複数のギヤを組み合わせて構成されるギヤトレインを介してパトローネ室の巻き戻しフォークへ伝達する。その結果、スプール室側に巻き上げられていたフィルムは、パトローネ室側に給送されてパトローネ内に収納される（例えば特許文献１）。ギヤトレインは通常、カメラの底面部に複数のギヤを組み合わせて、カメラの幅寸法にわたって配置されるため、部品点数が多く、またフィルムモータの回転運動の伝達方向に対し直交する方向において所定の厚みを要する。その結果、カメラの縦方向の寸法が長くなり、カメラ全体の小型化が妨げられるという問題があった。
【０００３】
【特許文献１】
特開平６−２６５９８９号公報
【０００４】
【発明が解決しようとする課題】
近年、カメラの小型化はますます進んできており、銀塩カメラも例外ではない。一方、フラッシュ装置を収納位置と撮影位置に駆動するフラッシュ内蔵カメラが知られているが、このようなフラッシュ内蔵カメラを構成する場合、フラッシュ駆動用のモータを設けるか、若しくは既存のモータにフラッシュ装置のアップダウン動作を行わせるための駆動源も兼用させるべく、駆動力の切換機構を組み込まなければならない。その結果、カメラ全体の小型化が困難であるという問題がある。
【０００５】
本発明は以上の問題を解決するものであり、カメラを小型化することを目的としている。
【０００６】
【課題を解決するための手段】
本発明に係るカメラは、フラッシュが内蔵されたケースのアップダウン機構の駆動源とフィルムの巻き上げの駆動源として用いられる第１のモータと、この第１のモータの回転数を減速する第１の減速機構と、この第１の減速機構を介して回転するフィルム巻き上げ用のスプールを備え、第１の減速機構は、スプール上方側に配置されていることを特徴とする。
【０００７】
好ましくは、スプール下方側にはフラッシュの制御回路基板が配置され、この制御回路基板に取り付けられたフラッシュ用のコンデンサがスプール内に挿通される。
【０００８】
好ましくは、第１のモータの第１の方向への回転はスプールに伝達され、第１のモータの第１の方向と反対の第２の方向への回転はアップダウン機構に伝達されるよう、第１の減速機構は第１のモータの回転運動の伝達経路を切り換える第１の切換手段を備える。
【０００９】
第１の切換手段は、例えば、第１のモータの出力軸に固定されたピニオンギヤと、減速ギヤ列と、減速ギヤ列を介してピニオンギヤの回転が伝達される太陽ギヤと、太陽ギヤと噛合する遊星ギヤとを有し、第１のモータが第１の方向へ回転するとき、遊星ギヤは、スプールに回転運動を伝達する連結ギヤに噛合するギヤに噛合するよう移動させられ、第１のモータが第２の方向へ回転するとき、遊星ギヤは、アップダウン機構を駆動するフォロアピンを変位させるためのカムギヤに噛合するよう移動させられる。
【００１０】
より好ましくは、フィルム巻き戻し用駆動源として用いられる第２のモータと、第２のモータの回転数を減速する第２減速機構とを有し、第２のモータ及び第２減速機構は、ミラーボックスを挟んでスプールが収容されている空間とは反対側にある空間において、カメラ底面側に配置されている。
【００１１】
通常、一眼レフカメラのカメラボディの場合、ミラーボックス上部には、正立像を観察できるように、像反転光学系、例えばペンタプリズムが配置されるため、ペンタプリズムの両脇にはデッドスペースが存在する。本発明によれば、第１のモータの回転運動をスプールに伝達する第１の減速機構はスプールの上方に設けられるため、このデッドスペースを有効利用することができる。従って、カメラ全体の小型化が図られる。
【００１２】
また、フィルム巻上げ用モータをフィルム巻き上げ以外の用途に用いれば、フィルム巻上げ用モータの駆動力が効率的に利用される。換言すれば、フィルム給送用に２つのモータを設けることによる部品点数の増加を押えることができ、一眼レフカメラ全体の小型化が図られる。
【００１３】
フィルムの巻き上げ及び巻き戻しをそれぞれ別のモータで行えば、従来のように、巻き上げ用モータから巻き戻し軸への動力伝達機構を設ける必要がない。従って、一眼レフカメラ全体の縦方向の寸法をより小さくすることができる。
【００１４】
【発明の実施の形態】
以下、本発明の実施の形態を、図面を参照して説明する。
図１は、本発明に係る実施形態が適用される一眼レフカメラのカメラボディ１の外観を正面から示し、図２は、カメラボディ１の外観を図１の右側から示す側面図である。カメラボディ１の上面に配設される上飾板Ｐにおいて、図１の左方端部にレリーズボタン２が設けられ、右方端部に各種モードの設定を行う設定ダイヤル３が設けられる。上飾板Ｐの中央にはフラッシュケース４が配設される。フラッシュ（図示せず）はフラッシュケース４のカメラボディ１の前面側の端部に内蔵される。フラッシュケース４は、カメラボディ１の背面側の端部に設けられる軸回りに回動可能に支持される。フラッシュを使用しないとき、フラッシュケース４は図１及び図２に示す収納位置に位置決めされる。フラッシュを使用するとき、フラッシュケース４は上述の軸回りに回動させられ、フラッシュが内蔵された側の端部が上方に移動し、撮影位置に位置決めされる。カメラボディ１の中央にはレンズマウント５が設けられる。カメラボディ１の内部には、レンズマウント５にマウントされるレンズ鏡筒の光軸上にクイックリターンミラー６が配設される。
【００１５】
図３はカメラボディ１の内部構成を示す正面図、図４は同内部構成の平面図、図５は同内部構成の底面図、図６は同内部構成を図３の右側から示す側面図である。スプール１０の近傍には第１のモータ１１が配設される。第１のモータ１１の回転運動は、第１の減速機構Ｄ１を介して、フラッシュのアップダウン機構またはスプール１０に選択的に伝達される。具体的には、第１のモータ１１の回転運動は、フリクションギヤ１０９、連結ギヤ１１０、スプール１０にスプールギヤ１１１を介してスプール１０に伝達されるか、またはカムギヤ１２０を介してフラッシュのアップダウン機構、すなわちフラッシュケース４の駆動機構に伝達される。第１のモータ１１の回転運動のスプール１０への伝達とアップダウン機構への伝達との切換えは、第１の減速機構Ｄ１における第１の切換手段１４により行われる。パトローネ室２０の底面近傍には第２のモータ２１が配設される。第１のモータ１１及び第２のモータ２１の回転の開始、停止、及び回転方向は、コントローラＣＲにより制御される。
【００１６】
第２のモータ２１の回転運動は、第２の伝達機構Ｄ２を介して、パトローネ室２０の巻き戻しフォーク２２に伝達されるか、またはクイックリターンミラー６、絞り（図示せず）、及びシャッター（図示せず）の駆動手段に伝達される。第２のモータ２１の回転運動の巻き戻しフォーク２２への伝達と、クイックリターンミラー６等の駆動手段への伝達との切り換えは、第２の伝達機構Ｄ２における第２の切換手段２３により行われる。
【００１７】
図７及び図８は、第１の減速機構Ｄ１の構成を示す平面図である。第１の減速機構Ｄ１において、ピニオンギヤ１０１は第１のモータ１１の出力軸に固定されている。減速ギヤ列１０２は第１及び第２の減速ギヤ１０３、１０４で構成される。減速ギヤ１０３は小径の歯車１０３ａと大径の歯車１０３ｂが同軸的かつ一体的に形成されている。同様に、減速ギヤ１０４は小径の歯車１０４ａと大径の歯車１０４ｂが同軸的かつ一体的に形成されている。ピニオンギヤ１０１は減速ギヤ１０３の大径の歯車１０３ｂに噛合し、減速ギヤ１０３の小径の歯車１０３ａは減速ギヤ１０４の大径の歯車１０４ｂに噛合している。
【００１８】
太陽ギヤ１０５は、小径の歯車１０５ａと大径の歯車１０５ｂが同軸的かつ一体的に形成されている。大径の歯車１０５ｂには、減速ギヤ１０４の小径の歯車１０４ａが噛合している。すなわち、第１のモータ１１の回転運動は、ピニオンギヤ１０１及び減速ギヤ列１０２を介して所定の減速比で減速されて太陽ギヤ１０５に伝達される。
【００１９】
回転板１０６は太陽ギヤ１０５の回転軸に回転可能に軸支されている。遊星ギヤ１０７は回転板１０６の端部に回転可能に設けられ、太陽ギヤ１０５の小径の歯車１０５ａに噛合している。これら回転板１０６及び遊星ギア１０７は、第１の切換手段１４を構成している。
【００２０】
第１のモータ１１が逆転（図７中、反時計回りの回転）すると、その回転運動はピニオンギヤ１０１及び減速ギヤ列１０２を介して太陽ギヤ１０５へ伝達され、太陽ギヤ１０５は時計回りに回転する。図７に示すように、太陽ギヤ１０５の時計回りの回転に従って、回転板１０６は太陽ギヤ１０５の中心軸を中心として時計回りに回転する。その結果、遊星ギヤ１０７はフリクションギヤ１０９に噛合する。
【００２１】
フリクションギヤ１０９は、連結ギヤ１１０に噛合している。連結ギヤ１１０は、スプール１０の回転中心軸と同軸的に設けられるスプールギヤ１１１（図３及び図６参照）に噛合している。従って、第１のモータ１１が逆転を続けると、その回転運動はピニオンギヤ１０１、減速ギヤ列１０２、太陽ギヤ１０５、遊星ギヤ１０７、フリクションギヤ１０９、連結ギヤ１１０、及びスプールギヤ１１１を介してスプール１０に伝達される。その結果、フィルムが巻き上げられる。
【００２２】
第１のモータ１１が正転（図８中、時計回りの回転）すると、その回転運動はピニオンギヤ１０１及び減速ギヤ列１０２を介して太陽ギヤ１０５へ伝達され、太陽ギヤ１０５は反時計回りに回転する。図８に示すように、太陽ギヤ１０５の反時計回りの回転に従って、回転板１０６は太陽ギヤ１０５の中心軸を中心として反時計回りに回転する。その結果、遊星ギヤ１０７はカムギヤ１２０に噛合する。
【００２３】
図９は、カムギヤ１２０と回転レバー２０１を示す平面図、図１０は、回転レバー２０１、回転アーム２１０、押えバネ２２０を示す平面図、図１１は、同斜視図である。回転レバー２０１、回転アーム２１０、押えバネ２２０は、フラッシュケース４のアップダウン機構を構成する部材である。尚、図９において、カムギヤ１２０の位置する側がカメラボディ１の前面側である。
【００２４】
回転レバー２０１の基部２０２において、第１の減速機構Ｄ１側に対向する面には、略円柱状の回転軸２０３が突設される。回転レバー２０１は回転軸２０３を中心に回転可能に支持される。回転軸２０３は大径部２０３ａと小径部２０３ｂを有する。小径部２０３ｂの外周面にはポップアップバネ２０４が巻き回されている。図９に示すように、ポップアップバネ２０４の一方の端部は、カメラボディ１の内壁面に固定的に形成された固定柱２０５に当接しており、他方の端部は、基部２０２に形成された孔２０２ａを挿通している。ポップアップバネ２０４は、常時、回転レバー２０１を図９、１０中、反時計回りに、すなわちカメラボディ１の背面から前面に向かう方向へ付勢している。基部２０２には、回転軸２０３と同様に円柱状のカムフォロア２０６が固定的に突設されている。回転レバー２０１の係合部２０７には、回転アーム２１０が係合するアーム係合片２０７ａと、押えバネ２２０が係合するバネ係合片２０７ｂが形成されている。また、回転レバー２０１の基部２０２においてカムフォロア２０６の近傍には、第１の切換手段１４側に突出する円柱状の支持柱２０９が配設される。
【００２５】
図１０及び図１１に示されるように、回転アーム２１０の一方の端部には回転レバー２０１のアーム係合片２０７ａ、及び押えバネ２２０の一方の端部が係合する係合片２１１が形成されている。また、図１１に示されるように、回転アーム２１０の他方の端部には、後述するフラッシュケース４の部材が嵌合する嵌合穴２１２が形成されている。
【００２６】
線状部材である押えバネ２２０の他方の端部は、回転レバー２０１の基部２０２の支持柱２０９に巻き回され、基部２０２に形成された係止片２０２ｂに当接して係止されている。支持柱２０９に巻き回された端部から続く直線部は所定の角度で曲折され、アーム係合片２０７ｂに係合し、さらに曲折され、支持柱２０９の他方の端部は回転アーム２１０の係合片２１１に係合可能な位置まで伸びている。図１１に示されるように、回転アーム２１０の係合片２１１は、押えバネ２２０と回転レバー２０１のアーム係合片２０７ａに挟まれている。
【００２７】
図９に示すように、カムギヤ１２０において回転レバー２０１に対向する側の平面上には、カム１２１が設けられている。カム１２１は所定の高さを有する壁状部材であり、直線部及びそれぞれ曲率中心の異なる複数の凸曲線部、凹曲線部から成る。カムギヤ１２０の回転に応じてカム１２１が変位すると、カムフォロア２０６はカム１２１の外形に沿って変位し、その結果、回転レバー２０１は回転軸２０３を中心に回転する。
【００２８】
図１２は、回転アーム２１０とフラッシュケース４を示す側面図である。フラッシュケース４は頭部４ａと一対の脚部４ｂを有し、頭部４ａと一対の脚部４ｂは一体的に形成される。頭部４ａにはフラッシュ発光部３００が配設される。フラッシュケース４は、頭部４ａがカメラボディ１の前面側に位置し、一対の脚部４ｂがカメラボディ１の背面側に位置するよう配置される。一対の脚部４ｂのうちの一方はケース軸３０１が固定されている。ケース軸３０１は、回転アーム２１０の嵌合穴２１２（図１１参照）にかしめられ固定されている。従って、回転アーム２１０の回転と共にフラッシュケース４も回転する。
【００２９】
上述のように、第１のモータ１１が正転すると遊星ギヤ１０７がカムギヤ１２０に噛合する（図８参照）。この状態で第１のモータ１１が正転を続けると、第１のモータ１１の回転運動がカムギヤ１２０に伝達され、カムギヤ１２０は、図８中、反時計回りに回転し続ける。カムギヤ１２０の回転に応じて、カム１２１、カムフォロア２０６（図９参照）を介して回転レバー２０１が回転軸２０３を中心に回転する。
【００３０】
ここで、フラッシュケース４のアップダウン動作について説明する。図９〜図１１は、フラッシュケース４のダウン時、すなわちフラッシュ４がカメラボディ１の上面部に収納されているときの回転レバー２０１、回転アーム２１０、押えバネ２２０の位置関係を示す。カムフォロア２０６がカム１２１の領域１２１ａの範囲内にあるとき、カムフォロア２０６はカムギヤ１２０の中心軸から最も離れた位置に位置する。換言すれば、カムフォロア２０６はカメラボディ１の背面側に位置づけられている。この状態において、回転レバー２０１はポップアップバネ２０４の付勢力に抗してカメラボディ１の背面側に位置しており、それに応じて押えバネ２２０が回転アーム２１０の係合片２１１に係合し、回転アーム２１０はカメラボディ１の背面側に位置づけられている。その結果、図１３に示すように、フラッシュケース４はダウン位置に位置づけられる。
【００３１】
上述のように、回転レバー２０１は、ポップアップバネ２０４により、常時カメラボディ１の背面から前面に向かう方向（フラッシュケース４がアップ位置へ向かう方向）へ付勢されていて、カムフォロア２０６は、カム１２１のカム面に常時付勢されて当接している。従って、図９に示す状態からカムギヤ１２０が反時計回りに回転を続けると、カムフォロア２０６がカム１２１に沿って変位しながら、回転レバー２０１はカメラボディ１の背面側から前面側に徐々に変位していく。それに応じて、回転レバー２０１の係合片２０７ａが回転アーム２１０の係合片２１１に係合し、回転アーム２１０は、係合片２１１がカメラボディ１の背面側から前面側に変位するよう回転させられる。上述のように、フラッシュケース４は、回転アーム２１０と一体的に回転に回転する。従って、フラッシュケース４は頭部４ａが次第に上昇し始め、カムフォロア２０６が図１４に示す位置まで変位すると、フラッシュケース４は図１３に示すようにアップ位置に位置づけられる。なお、アップ位置において、フラッシュケース４に何らかの外力が加えられて、フラッシュケース４がダウン位置へ動いた場合、回転アーム２１０は、回転レバー２０１をポップアップバネ２０４の付勢力に抗する方向、すなわちカムフォロア２０６をカム１２１のカム面から離す方向に回転させるだけなので、カム１２１には何ら影響がない。
【００３２】
図１４に示す状態から、第１のモータ１１が正転を続け、カムギヤ１２０がさらに反時計方向に回転すると、図１５に示す状態を経て、カムフォロア２０６は、ポップアップバネ２０４の付勢力に抗しつつカム１２１に沿いながら変位し、回転レバー２０１全体がカメラボディ１の前面側から背面側に徐々に変位していく。それに応じて、係合片２０７ａに替わって、押えバネ２２０が回転アーム２１０の係合片２１１に係合し、押えバネ２２０を介して、回転アーム２１０は係合片２１１がカメラボディ１の前面側から背面側に変位するよう回転させられる。その結果、図１３に示すように、フラッシュケース４はダウン位置に位置づけられる。このとき、回転アーム２１０は、押えばね２２０により常時付勢されていているので、機械的に停止される位置まで移動させられる。このため、フラッシュケース４はカメラボディ外装面から浮いた状態で止まったりせずに、常時、所望のダウン位置へ正確に位置させることができる。また、操作者が手でフラッシュケース４をアップ位置へ持ち上げようとしたような場合、回転レバー２１０の回転力は押えばね２２０が弾性変形して吸収するので、回転レバー２０１やカムギヤ１２０の変形や損傷が防止できる。
【００３３】
また、図５及び図６に示すように、中空円筒形状のスプール１０の内周面側には、フラッシュ発光部３００内の発光管（図示せず）を放電発光させるための電荷を充電する円柱形状のメインコンデンサＭＣが挿入されている。このメインコンデンサＭＣの底面側の一端部には、フラッシュ発光部３００の発光制御やメインコンデンサＭＣの充電制御等を行うためのフラッシュ回路基板Ｅが取り付けられている。すなわち、スプール１０の回転軸方向（図３の上下方向に相当）において、スプール１０を挟んで、スプール１０の上方端面側（カメラボディ１の上飾板Ｐ側）には第１の減速機構Ｄ１が配置され、下方端面側（カメラボディ１の底面側）には、フラッシュ回路基板Ｅが配置されている。尚、図５において、フラッシュ回路基板Ｅは省略されている。
【００３４】
以上のように、第１の減速機構Ｄ１、フラッシュケース４のアップダウン機構、メインコンデンサＭＣ、フラッシュの回路基板Ｅといったフラッシュ用部品を、カメラボディ１内において、クリックリターンミラー６を収容するミラーボックスＭＢによって隔てられる２つ空間（スプール１０側の空間ＳＳとフィルムパトローネ２０側の空間ＳＰ）の一方側の空間内（すなわち、スプール１０側の空間ＳＳ内）に纏めて収容することができる。
【００３５】
図１６は第２の減速機構Ｄ２を正面から拡大して示す図、図１７は図１６のうち一部の部材を省略して示す図、図１８は第２の減速機構Ｄ２の斜視図、図１９は第２の減速機構Ｄ２を図１６の左側から示す側面図である。ピニオンギヤ４０１は第２のモータ２１（図１８参照）の回転軸に固定される。減速ギヤ４０２はピニオンギヤ４０１に噛合し、太陽ギヤ４０３（図１７参照）は減速ギヤ４０２に噛合している。すなわち、第２のモータ２１の回転運動は、ピニオンギヤ４０１及び減速ギヤ４０２を介して所定の減速比で減速され、太陽ギヤ４０３に伝達される。また、太陽ギア４０３の回転は遊星ウォームギヤ４０４を有する第２の切換手段２３へ伝達される。
【００３６】
次に、第２の切換手段２３について説明する。図１８に示されるように、遊星ウォームギヤ４０４は平歯車部４０４ａとウォームギヤ部４０４ｂとを有する。平歯車部４０４ａは太陽ギヤ４０３に噛合している（図１７参照）。また、遊星ウォームギヤ４０４は太陽ギヤ４０３の軸心を中心として回転可能に支持されている。従って、太陽ギヤ４０３の回転に応じて、遊星ウォームギヤ４０４は太陽ギヤ４０３の軸心を中心として図１６及び図１７中の時計回り若しくは反時計回りに変位する。
【００３７】
遊星ウォームギヤ４０４の平歯車部４０４ａの前方に、略Ｌ字型を呈する薄板状の案内板４０５が配設される。案内板４０５において２つの腕部４０５ａ、４０５ｂの交差する部分には、遊星ウォームギヤ４０４が変位する際、遊星ウォームギヤ４０４の中心軸４０４ｃを案内するための円弧状の切り欠き４０５ｃが形成されている。遊星ウォームギヤ４０４は、中心軸４０４ｃの端部が切り欠き部４０５ｃ内に位置するよう配設される。遊星ウォームギヤ４０４が太陽ギヤ４０３の回転に応じて変位する際、遊星ウォームギヤ４０４の中心軸４０４ｃの端部が切り欠き４０５ｃに案内されるため、遊星ウォームギヤ４０４の移動は安定して行われる。尚、図１７においては、上述のギヤ列の構成を明示するため案内板４０５は省略されている。
【００３８】
案内板４０５において切り欠き部４０５ｃの近傍には、レバー４０６が設けられる。レバー４０６は、案内板４０５と平行なストッパ部４０７と案内板４０５に直交する被駆動部４０８（図１８、１９参照）を有しており、ストッパ部４０７と被駆動部４０８は一体的に形成されている。ストッパ部４０７は、案内板４０５の上述のギヤ列が位置する面と反対側の面に対向するよう位置づけられ、被駆動部４０８は、案内板４０５に形成された穴４０５ｄから上述のギヤ列が配設される側へ延出している。レバー４０６は、案内板４０５に設けられた支持軸４０９を中心として回転可能に支持軸４０９に支持されている。
【００３９】
ストッパ部４０７は、２つのアーム４０７ａ、４０７ｂを有する。アーム４０７ａ及び４０７ｂの端部には、それぞれストッパ片４０７ｃ、４０７ｄが形成されている。ストッパ片４０７ｃは、切り欠き部４０５ｃのパトローネ室（図１、２参照）近傍の端部に位置決めされた遊星ウォームギヤ４０４の中心軸４０４ｃの移動を防止するために設けられる。ストッパ片４０７ｄは、切り欠き部４０５ｃのレンズマウント５（図１、２参照）近傍の端部に位置決めされる中心軸４０４ｃの移動を防止するために設けられる。図１７及び図１８には、中心軸４０４ｃとストッパ片４０７ｄが係合し、中心軸４０４ｃの移動、すなわち遊星ウォームギヤ４０４の移動が規制された状態が示されている。尚、中心軸４０４ｃの位置決めの詳細については後述する。
【００４０】
支持軸４０９の外周面にはコイルバネ４１０が巻き回されている。コイルバネ４１０の一方の端部は案内板４０５の穴４０５ｄに係合し、他方の端部は、レバー４０６のストッパ部４０７に設けられた突片に係合しており、レバー４０６を常時、図１６中の時計回りの方向へ付勢している。
【００４１】
案内板４０５の腕部４０５ｂにおいて、上述のギヤ列が配設された側には、ソレノイド４１１が配設され、その軸心にはプランジャ４１２が配設される。プランジャ４１２の端部４１２ａはプランジャ４１２の他の部分よりも大径に形成され、円周方向に沿って溝部４１２ｂが形成されている。図１９に示されるように、溝部４１２ｂ内にはレバー４０６の被駆動部４０８の端部が位置している。
【００４２】
ソレノイド４１１への通電の開始及び停止、第２のモータ２１の回転の開始、停止、及び回転方向は、コントローラＣＲにより制御される。
【００４３】
図１７、及び図１９〜図２２を用いて、遊星ウォームギヤ４０４の移動及びそれに伴う中心軸４０４ｃの位置決めについて説明する。尚、遊星ウォームギヤ４０４の移動を明示するため、図２０〜図２２では案内板４０６は省略されている。コントローラＣＲの制御に基づきソレノイド４１１が通電されると、プランジャ４１２は図１９中、上方向に変位させられ、それに伴いプランジャ４１２の溝部４１２ｂ内に位置するレバー４０６の被駆動部４０８が上方向に駆動される。その結果、レバー４０６は、コイルスプリング４１０の付勢力に抗して、支持軸４０９を中心として図１７中、反時計方向に回転させられる。これにより、図２０に示すように、遊星ウォームギヤ４０４の中心軸４０４ｃとストッパ片４０７ｄの係合状態は解除され、遊星ウォームギヤ４０４は案内板４０５の切り欠き部４０５ｃに沿って移動可能となる。
【００４４】
この状態でコントローラＣＲの制御に基づき第２のモータ２１が逆転させられると、ピニオンギヤ４０１は図１７中、反時計方向に回転し、その回転運動は減速ギヤ４０２を介して太陽ギヤ４０３に伝達され、太陽ギヤ４０３は反時計方向に回転する。その結果、太陽ギヤ４０３に噛合する平歯車部４０４ａを介して遊星ウォームギヤ４０４はパトローネ室２０の近傍へ移動し、図２１に示す状態に位置決めされる。
【００４５】
図２１の状態で、コントローラＣＲの制御に基づきソレノイド４１１が非通電とされると、プランジャ４１２は元の位置に復帰する。プランジャ４１２の移動に伴い、レバー４０６は支持軸４０９を中心として時計回りに回転し、図２２に示すように、レバー４０６のストッパ片４０７ｃと遊星ウォームギヤ４０４の中心軸４０４ｃが係合する。その結果、遊星ウォームギヤ４０４は図２２で示される位置に固定される。
【００４６】
図２２の状態でコントローラＣＲの制御に基づきソレノイド４１１が通電されると、プランジャ４１２の変位に伴いレバー４０６は支持軸４０９を中心として反時計回りに回転し、ストッパ片４０７ｃと遊星ウォームギヤ４０４の中心軸４０４ｃとの係合が解除される（図２１参照）。この状態で、コントローラＣＲの制御に基づき第２のモータ２１が正転させられ、ピニオンギヤ４０１が時計方向に回転させられると、その回転運動は減速ギヤ４０２を介して太陽ギヤ４０３に伝達され、太陽ギヤ４０３は時計方向に回転する。その結果、太陽ギヤ４０３に噛合する平歯車部４０４ａを介して遊星ウォームギヤ４０４はレンズマウント５の近傍へ移動し、図２０に示す状態に位置決めされる。
【００４７】
図２０の状態で、コントローラＣＲの制御に基づきソレノイド４１１が非通電となると、プランジャ４１２は元の位置に復帰する。プランジャ４１２の移動に伴い、レバー４０６は支持軸４０９を中心として時計回りに回転し、図１７に示すように、レバー４０６のストッパ片４０７ｄと遊星ウォームギヤ４０４の中心軸４０４ｃが係合する。その結果、遊星ウォームギヤ４０４は図１７で示される位置に固定される。
【００４８】
レバー４０６において中心軸４０９の近傍には、係止穴４０６ａが形成されている。係止穴４０６ａには、案内板４０５に一体的に形成された突状のストッパ４１３が挿通している。ストッパ４１３と係止穴４０６ａとの係合により、ソレノイド４１１の通電状態において、回転するレバー４０６が必要以上に変位することが防止される。
【００４９】
遊星ウォームギヤ４０４が図２２に示す位置、すなわちパトローネ室２０の近傍に位置決めされると、図２３に示すように、遊星ウォームギヤ４０４のウォーム部４０４ｂは、巻戻し用平歯車（ホイールギヤ）４２０に噛合する。巻戻し用平歯車４２０には巻戻しアイドルギヤ４２１が噛合し、巻戻しアイドルギヤ４２１には巻戻しフォークギヤ４２２が噛合している。巻戻しフォークギヤ４２２は、パトローネ室２０の巻戻しフォーク２２と同軸的に設けられている。
【００５０】
第２のモータ２１の回転は、第２の切換手段２３のギヤ列、及び第１のギヤ列４１９を介して巻戻しフォーク２２に伝達され、巻戻しフォーク２２が回転される。本実施形態では、遊星ウォームギヤ４０４のウォーム部４０４ｂが巻戻し用平歯車４２０に噛合した状態において、第２のモータ２１は反時計方向へのみ回転するようコントローラＣＲにより制御される。換言すれば、ウォーム部４０４ｂが巻戻し用平歯車４２０に噛合しているとき、巻戻しフォーク２２はフィルムを巻戻す方向にのみ回転するよう、コントローラＣＲは第２のモータ２１の駆動は制御される。
【００５１】
第２の切換手段２３の遊星ウォームギヤ４０４が図１７に示す位置、すなわちレンズマウント５の近傍に位置決めされると、遊星ウォームギヤ４０４の平歯車部４０４ａは、図２４に示すように、第２のギヤ列４２９のチャージウォームギヤ４３０の平歯車部４３０ａに噛合する。第２のギヤ列４２９は、チャージウォームギヤ４３０と、チャージウォームギヤ４３０のウォームホイール部４３０ｂに噛合するギヤ４３１と、ギヤ４３１に噛合する絞り制御ギヤ４３２を有する。絞り制御ギヤ４３２には絞り制御機構（図示せず）が連結されている。第２のモータ２１の正転運動は、上述の第２の減速機構Ｄ２のギヤ列、及び第２のギヤ列４２９を介して、絞り制御機構に伝達される。
【００５２】
また、絞り制御ギヤ４３２にはアイドルギヤ４３３が噛合し、アイドルギヤ４３３にはギヤ４３４が噛合している。第２のモータ２１が正転し、上述の第２の減速機構Ｄ２のギヤ列、第２のギヤ列４２９、及びアイドルギヤ４３３を介してギヤ４３４に伝達された回転運動は、シャッターチャージ・レバー４３５及びミラー駆動レバー４３６に伝達される。その結果、遊星ウォームギヤ４０４を図１７に示す位置に位置決めした状態で第２のモータ２１を正転させることにより、シャッター駆動、及びクイックリターンミラー駆動が行われる。
【００５３】
図２５は図２４に示すギヤ列の一部を示す正面図である。絞り制御ギヤ４３２の平面部には回転カム４３２ａが形成されている。絞り制御レバー４３７は回転カム４３２ａの変位に従動するカムフォロア４３７ａを有する。コントローラＣＲ（図１８参照）の制御に基づいて、遊星ウォームギヤ４０４を図１７に示す位置に位置決めした状態で、撮影時（レリーズ操作時）、第２のモータ２１が正転させられる。その結果、絞り制御ギヤ４３２は図２５中、時計方向に回転する。撮影時、カムフォロア４３７ａが回転カム４３２ａの領域ＲＥに沿って変位するよう、第２のモータ２１の回転は制御される。カムフォロア４３７ａの変位に応じて、絞り制御レバー４３７が駆動され、開放絞りから絞り込む方向へ絞りの制御が行われる。そして、クイックリターンミラー６の跳ね上げ、シャッター駆動が行われる。シャッター駆動完了後、第２のモータ２１はさらに正転するようコントローラＣＲにより制御され、絞り制御ギヤ４３２はさらに時計方向に回転し、図２５に示す状態へ復帰する。尚、絞り制御ギヤ４３２の回転時、カムフォロア４３７ａが領域ＣＨと摺接している間、シャッターチャージ、クイックリターンミラー６のダウンが行われ、カムフォロア４３７ａが領域ＣＨに続くカム領域を通ることで絞りが絞り込み状態から開放絞りへ復帰する。すなわち、絞り制御ギヤ４３２の１回転で撮影動作及びシャッターチャージがなされ、次の撮影動作が可能な撮影準備状態へ復帰する。
【００５４】
コントローラＣＲの制御に基づいて、遊星ウォームギヤ４０４を図１７に示す位置に位置決めした状態で、第２のモータ２１を逆転させると、絞り制御ギヤ４３２は図２５中、反時計方向に回転し、カムフォロア４３７ａは回転カム４３２ａに沿って変位する。プレヴュー動作時、カムフォロア４３７ａが回転カム４３２ａの領域ＰＶに沿って変位するよう、第２のモータ２１の回転は制御される。カムフォロア４３７ａの領域ＰＶに沿った変位に応じて、絞り制御レバー４３７が駆動され、絞りの制御が行われる。プレビュー動作終了時は、第２のモータ２１を正転させて、カムフォロア４３７ａを図２５に示す位置にまで戻す。
【００５５】
ギヤ４３４の平面部には円柱カム（図示せず）が形成されている。この円柱カムは半径が一定であり、ギヤ４３４が所定の回転角の範囲内で回転するとき、シャッターチャージ・レバー４３５及びミラー駆動レバー４３６の位置が変更されないよう構成されている。ギヤ４３４の回転角の制御は、ギヤ４３４に形成されるブラシ（図示せず）と、ギヤ４３４に対向するよう配設されるコード板（図示せず）を有するセンサーユニットの出力に基づき、コントローラＣＲの制御により行われる。一方、絞り制御ギヤ４３２のカム４３２ａは、上述のように絞り制御レバー４３７が駆動されるよう構成されている。従って、遊星ウォームギヤ４０４を図１７に示す位置に位置決めした状態で、ギヤ４３４の回転角が所定の範囲内となるよう制御しながら第２のモータ２１を逆転させた場合、シャッター駆動及びミラー駆動は行われず、絞り制御のみが行われる。すなわち、クイックリターンミラー６をダウン状態に維持したまま、絞り制御のみが行われる。従って、設定した絞りの深度をファインダーで確認するプレビューが可能となる。
【００５６】
以上のように、本実施形態によれば、第１のモータ１１は、スプール１０の駆動源、及びフラッシュケース４のアップダウンの駆動源として用いられる。そして、第１のモータ１１の回転を減速してスプール１０に伝達する第１の減速機構Ｄ１は、スプール１０の上方側に配設される。通常、一眼レフカメラのカメラボディの場合、ミラーボックス上部には、像反転光学系、例えばペンタプリズムが配置されるため、ペンタプリズムの両脇にはデッドスペースが存在するが、第１の減速機構Ｄ１をスプール１０の上方側に配設することにより、第１の減速機構Ｄ１をフィルム巻上のためだけでなく、フラッシュのアップダウン駆動にも利用して、このデッドスペースを有効利用することができる。従って、カメラボディ１の小型化が図られる。
【００５７】
本実施形態では、フィルムの巻き上げは第１のモータ１１で行い、フィルムの巻き戻しは第２のモータ２１で行っている。従って、フィルム給送用のギヤトレイン機構をカメラボディ１の底面に設ける必要がなく、従来、ギヤトレイン機構が配設されていたスペースにおいてスプール１０の底面側にはフラッシュ回路基板Ｅが配設される。フラッシュ回路基板Ｅは、設置面積を比較的小さくすることができ、またギアトレイン機構に比べて厚みを薄く抑えることができる。従って、カメラボディ１の高さ方向の寸法を短くすることができる。
【００５８】
さらに、本実施形態において、メインコンデンサＭＣはスプール１０の内側に配設されている。すなわち、フラッシュのアップダウン機構、メインコンデンサＭＣ、フラッシュ回路基板Ｅといったフラッシュ用部品が、第１の減速機構Ｄ１と共にカメラボディ１内のスプール１０側の空間ＳＳにまとめて収容されている。従って、カメラボディ１内の構成を複雑化させることなくカメラボディ１の小型化が図られる。
【００５９】
また、第１のモータ１１の正転運動は内蔵フラッシュ３００のアップダウンの駆動制御に用いられ、逆転運動はフィルムの巻き上げの駆動に用いられる。また、遊星ウォームギヤ４０４がパトローネ室２０の近傍に位置決めされ、そのウォーム部４０４ｂが巻戻し用平歯車４２０に噛合した状態において、第２のモータ２１の逆転運動はフィルムの巻戻しに用いられ、遊星ウォームギヤ４０４がレンズマウント５の近傍に位置決めされ、そのウォーム部４０４ｂがチャージウォームギヤ４３０の平歯車部４３０ａに噛合した状態において、第２のモータ２１の逆転運動はプレビューの際の絞りの駆動に用いられ、正転運動は、撮影の際のクイックリターンミラー６、シャッター、及び絞りの駆動に用いられる。このように、第１及び第２のモータ１１、２１はそれぞれ複数の処理の駆動源として活用されている。従って、駆動源の部品点数の増加が抑えられ、カメラ全体の小型化が図られる。
【００６０】
【発明の効果】
以上のように本発明によれば、フィルム巻き上げ用の駆動源をフラッシュのアップダウンの駆動源と兼用し、かつ駆動力を伝達する減速機構がスプールの上方に配設される。従って、カメラ上面側デッドスペースが有効利用され、カメラ全体の小型化が図られる。
【図面の簡単な説明】
【図１】本発明に係る実施形態が適用される一眼レフカメラのカメラボディの外観の正面図である。
【図２】カメラボディの外観を図１の右側から示す側面図である。
【図３】カメラボディの内部構成を示す正面図である。
【図４】カメラボディの内部構成の平面図である。
【図５】カメラボディの内部構成の底面図である。
【図６】カメラボディの内部構成を図３の右側から示す側面図である。
【図７】第１のモータの回転をスプールに伝達するときの第１の減速機構のギヤ構成を示す平面図である。
【図８】第１のモータの回転をフラッシュケースのアップダウン機構に伝達するときの第１の減速機構のギヤ構成を示す平面図である。
【図９】カムギヤとフラッシュケースのアップダウン機構の回転レバーを示す平面図である。
【図１０】フラッシュケースのアップダウン機構の回転レバー、回転アーム、押えバネを示す平面図である。
【図１１】フラッシュケースのアップダウン機構の回転レバー、回転アーム、押えバネを示す斜視図である。
【図１２】フラッシュケースのアップダウン機構の回転アームとフラッシュケースを示す側面図である。
【図１３】フラッシュケースのアップダウン機構の回転アームとフラッシュケースの変位を示す側面図である。
【図１４】フラッシュケースがアップ位置に位置づけられるときの、カムギヤとフラッシュケースのアップダウン機構の回転レバーを示す平面図である。
【図１５】フラッシュケースがアップ位置とダウン位置の中間に位置するときの、カムギヤとフラッシュケースのアップダウン機構の回転レバーを示す平面図である。
【図１６】第２の減速機構を正面から拡大して示す図である。
【図１７】第２の減速機構の一部の部材を省略して示す拡大図である。
【図１８】第２の減速機構の斜視図である。
【図１９】第２の減速機構を図１６の左側から示す側面図である。
【図２０】ソレノイドが通電され、かつ遊星ギヤが第２のモータの回転運動をシャッターチャージレバー、絞り制御レバー、ミラー駆動レバーに伝達する位置にあることを示す第２の切換手段の拡大正面図である。
【図２１】ソレノイドが通電され、かつ遊星ギヤが第２のモータの回転運動を巻き戻しフォークに伝達する位置にあることを示す第２の切換手段の拡大正面図である。
【図２２】ソレノイドの通電が停止され、かつ遊星ギヤが第２のモータの回転運動を巻き戻しフォークに伝達する位置にあることを示す第２の切換手段の拡大正面図である。
【図２３】フィルムを巻き戻すときの第２の減速機構のギヤ列とフィルム巻戻しのギヤ列を示す斜視図である。
【図２４】撮影動作若しくはプレヴュー動作を行うときの第２の減速機構のギヤ列とシャッター駆動機構、ミラー駆動機構を示す斜視図である。
【図２５】遊星ギヤと絞り制御レバーを示す図である。
【符号の説明】
１  カメラボディ
４  フラッシュケース
６  クイックリターンミラー
１０  スプール
１１  第１のモータ
１４  第１の切換手段
２０  パトローネ室
２１  第２のモータ
２２  巻き戻しフォーク
２３  第２の切換手段
【図１】
2004251983.tif 000003
【図２】
2004251983.tif 000004
【図３】
2004251983.tif 000005
【図４】
2004251983.tif 000006
【図５】
2004251983.tif 000007
【図６】
2004251983.tif 000008
【図７】
2004251983.tif 000009
【図８】
2004251983.tif 000010
【図９】
2004251983.tif 000011
【図１０】
2004251983.tif 000012
【図１１】
2004251983.tif 000013
【図１２】
2004251983.tif 000014
【図１３】
2004251983.tif 000015
【図１４】
2004251983.tif 000016
【図１５】
2004251983.tif 000017
【図１６】
2004251983.tif 000018
【図１７】
2004251983.tif 000019
【図１８】
2004251983.tif 000020
【図１９】
2004251983.tif 000021
【図２０】
2004251983.tif 000022
【図２１】
2004251983.tif 000023
【図２２】
2004251983.tif 000024
【図２３】
2004251983.tif 000025
【図２４】
2004251983.tif 000026
【図２５】
2004251983.tif 000027